(57)【特許請求の範囲】
【請求項１】
誘導加熱コイルと、前記誘導加熱コイルが発生した磁界により誘導加熱される導電体と、温度を検知する温度検知部と、を有する便座と、
前記温度検知部の検知温度に基づいて前記誘導加熱コイルへの通電を制御する制御部と、
を備え、
前記導電体は、前記便座の上面および内周面に沿って配設された部分を有し、
前記誘導加熱コイルは、前記便座の内周面に沿って配設され、一部の部位における曲率が他の部位における曲率よりも大きく、
前記温度検知部は、前記誘導加熱コイルの前記曲率が大きい部位に配設されたことを特徴とする暖房便座装置。
【請求項２】
前記便座の前記内周面の一部は、前記内周面の他の部分よりも大きい曲率の曲面を有し、
前記大きい曲率の曲面と、前記誘導加熱コイルの前記曲率が大きい部位と、の位置が合わされてなることを特徴とする請求項１記載の暖房便座装置。
【請求項３】
前記誘導加熱コイルの前記曲率が大きい部位は、前記便座の内周面における前方の端部の中央部に形成されたことを特徴とする請求項１または２に記載の暖房便座装置。
【請求項４】
前記制御部は、前記温度検知部の検知温度が所定の温度に到達すると、前記誘導加熱コイルへの通電を強制的に停止させることを特徴とする請求項３記載の暖房便座装置。
【発明の詳細な説明】
【技術分野】
【０００１】
本発明の態様は、一般的に、暖房便座装置に関し、具体的には便器に設けられる便座を暖めることができる暖房便座装置に関する。
【背景技術】
【０００２】
一般的に、便座の座面は、ＰＰ（polypropylene：ポリプロピレン）等の樹脂で製造されているため、使用者は、冬場などの気温の低いときに冷えた便座に座ると冷感を感じる場合がある。そこで、便座を暖めることができる暖房便座装置がある。このような暖房便座装置では、省エネルギー化を図るために種々の提案がなされている。
【０００３】
例えば、便座着座面の輪郭に沿って主誘導コイルが配設され、主誘導コイルの内部領域に副誘導コイルが配設され、主誘導コイルと副誘導コイルとは直列に接続されている暖房便座装置がある（特許文献１）。特許文献１に記載された暖房便座装置によれば、主誘導コイルの内部領域における所用個所に副誘導コイルを配設し磁束を強化する。これにより、所用個所において発熱体の加熱量を高めて、便座表面の暖まりにくい個所を確実に昇温させることができる。また、特許文献１に記載された暖房便座装置は、温度センサの検知温度信号に基づき、誘導コイルへの通電量を調整し、異常昇温を検知したときに送電を停止させる機能を有している。
【０００４】
誘導加熱により便座を急速に加熱すると、その便座は、抵抗加熱式などの従来の暖房便座よりも迅速に昇温する。抵抗加熱式などの従来の暖房便座では、着座面の真下に一定の熱時定数を有するサーミスタや温度ヒューズなどの温度検知部が設けられている。しかしながら、誘導加熱式の暖房便座においても同様に、着座面の真下に温度検知部を配置し、その温度検知部が検知した温度に基づいて誘導加熱コイルへの通電を制御すると、サーミスタや温度ヒューズなどの温度検知部は一定の熱時定数を有しているため、便座の温度を早く的確に検知することが困難である。そのため、誘導加熱を制御する制御部の電子部品が故障した場合などには、着座面の温度が快適温度を超えてしまうおそれがある。
【先行技術文献】
【特許文献】
【０００５】
【特許文献１】特開２００９−２９１４６０号公報
【発明の概要】
【発明が解決しようとする課題】
【０００６】
本発明は、かかる課題の認識に基づいてなされたものであり、誘導加熱の原理を利用した暖房便座装置であって、便座の温度を早く的確に検知することができる暖房便座装置を提供することを目的とする。
【課題を解決するための手段】
【０００７】
第１の発明は、誘導加熱コイルと、前記誘導加熱コイルが発生した磁界により誘導加熱される導電体と、温度を検知する温度検知部と、を有する便座と、前記温度検知部の検知温度に基づいて前記誘導加熱コイルへの通電を制御する制御部と、を備え、前記導電体は、前記便座の上面および内周面に沿って配設された部分を有し、前記誘導加熱コイルは、前記便座の内周面に沿って配設され、一部の部位における曲率が他の部位における曲率よりも大きく、前記温度検知部は、前記誘導加熱コイルの前記曲率が大きい部位に配設されたことを特徴とする暖房便座装置である。
【０００８】
この暖房便座装置によれば、温度検知部は、誘導加熱コイルの曲率が他の部位の曲率よりも大きい部位に配設されている。そのため、温度検知部は、誘導加熱コイルの曲率が大きい部位の近傍の導電体の温度を検知することができる。誘導加熱コイルの曲率が大きい部位に配設された導電体は、他の部位に配設された導電体よりも早く高温に到達する。
【０００９】
これにより、制御部は、温度検知部の検知温度に基づいて便座の温度を早く的確に検知することができる。そのため、制御部は、着座面が快適温度を超えた状態を早く検知して誘導加熱コイル２２０への通電を素早く制御し、便座２００が過度に昇温することを防止することができる。
【００１０】
また、第２の発明は、第１の発明において、前記便座の前記内周面の一部は、前記内周面の他の部分よりも大きい曲率の曲面を有し、前記大きい曲率の曲面と、前記誘導加熱コイルの前記曲率が大きい部位と、の位置が合わされてなることを特徴とする暖房便座装置である。
【００１１】
この暖房便座装置によれば、誘導加熱コイルは、便座の内周面における曲率が大きい曲面と、誘導加熱コイルの曲率が大きい部位と、の位置が合うように配設されている。そのため、便座の内周面における曲率が大きい曲面および誘導加熱コイルの曲率が大きい部位に配設された導電体は、他の部位に配設された導電体よりも早く高温に到達する。そのため、制御部は、温度検知部の検知温度に基づいて便座の温度を早く的確に検知することができる。そして、制御部は、着座面が快適温度を超えた状態を早く検知することができる。
【００１２】
また、第３の発明は、第１または第２の発明において、前記誘導加熱コイルの前記曲率が大きい部位は、前記便座の内周面における前方の端部の中央部に形成されたことを特徴とする暖房便座装置である。
【００１３】
この暖房便座装置によれば、誘導加熱コイルの曲率が大きい部位は、便座の内周面における前方の端部の中央部に形成されている。この部位は、便座に着座した人の大腿が一般的には接触しない領域である。その領域に、誘導加熱コイルの曲率が大きい部位が形成されているため、便座に着座した人は、便座の温度むらを感じにくい。そのため、人は座った時に不快と感じにくく、便座の座り心地をより向上させることができる。
【００１４】
また、第４の発明は、第３の発明において、前記制御部は、前記温度検知部の検知温度が所定の温度に到達すると、前記誘導加熱コイルへの通電を強制的に停止させることを特徴とする暖房便座装置である。
【００１５】
この暖房便座装置によれば、制御部は、温度検知部の検知温度が所定の温度に到達すると、誘導加熱コイルへの通電を強制的に停止させる。そのため、便座の温度が異常高温に到達することを未然に防止することができる。
【発明の効果】
【００１６】
本発明の態様によれば、誘導加熱の原理を利用した暖房便座装置であって、便座の温度を早く的確に検知することができる暖房便座装置が提供される。
【図面の簡単な説明】
【００１７】
【図１】本発明の実施の形態にかかる暖房便座装置を備えたトイレ装置を例示する斜視模式図である。
【図２】本実施形態の便座の内部構造を拡大して眺めた断面模式図である。
【図３】本実施形態の便座を上方から眺めた平面模式図である。
【図４】本実施形態の誘導加熱コイルおよび温度検知部の設置形態の具体例を例示する平面模式図である。
【図５】図４に表した切断面Ａ−Ａにおける断面模式図である。
【図６】本実施形態の誘導加熱コイルおよび温度検知部の設置形態の他の具体例を例示する断面模式図である。
【図７】本実施形態の誘導加熱コイルおよび温度検知部の設置形態のさらに他の具体例を例示する平面模式図である。
【図８】本実施形態の誘導加熱コイルおよび温度検知部の設置形態のさらに他の具体例を例示する平面模式図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる暖房便座装置を備えたトイレ装置を例示する斜視模式図である。  
また、図２は、本実施形態の便座の内部構造を拡大して眺めた断面模式図である。  
なお、図２に表した暖房便座装置では、便蓋３００を省略している。
【００１９】
図１に表したトイレ装置は、洋式腰掛便器８００と、その上に設けられた暖房便座装置１００と、を備える。暖房便座装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２０】
便座２００は、図２に表したように、便座２００の外形を形成する筐体２１０を有する。筐体２１０は、例えば樹脂などの絶縁性を有する材料により形成されている。なお、筐体２１０は、複数の部材により形成されていてもよいし、１つの部材により形成されていてもよい。
【００２１】
便座２００の筐体２１０の内部には、図２に表したように、高周波電流Ｉが通電されることにより磁界Ｈを発生する誘導加熱コイル２２０が設けられている。誘導加熱コイル２２０は、便座２００の内周面２０３（図１参照）に沿って配設されている。そして、誘導加熱コイル２２０は、例えば便座２００の内部の上面（着座面に対向する内面）に付設されている。あるいは、誘導加熱コイル２２０は、図５および図６に例示するように、支持体により支持されていてもよい。
【００２２】
また、便座２００の筐体２１０の周囲には、誘導加熱コイル２２０から発生した磁界Ｈにより誘導加熱される導電体２３０が設けられている。より具体的には、導電体２３０は、誘導加熱コイル２２０から発生する磁界Ｈで誘起される渦電流により発熱する。導電体２３０は、便座２００の上面２０１（図１参照）および内周面２０３（図１参照）に沿って配設された部分を有する。
【００２３】
導電体２３０としては、例えば鉄やステンレスなどの強磁性体、またはアルミニウムなどの常磁性体といった金属を用いることができる。便座２００の外部に磁界Ｈを放出させにくくするためには、電気抵抗が大きい鉄やステンレスなどの強磁性体を導電体２３０に用いることがより好ましい。なお、導電体２３０が便座２００の上面に沿って配設される場合には、人体と導電体２３０とが直接的に接触しないように、塗装やコーティングなどの表面材２４０が導電体２３０の表面に施されることがより好ましい。
【００２４】
便座２００の内部には、導電体２３０の温度を検知する温度検知部２５０が設けられている。また、ケーシング４００の内部には、制御部４１０が設けられている。制御部４１０は、温度検知部２５０の検知温度に基づいて誘導加熱コイル２２０への通電を制御する。制御部４１０が誘導加熱コイル２２０へ高周波電流Ｉを通電させると、誘導加熱コイル２２０は、磁界Ｈを発生する。誘導加熱コイル２２０が磁界Ｈを発生すると、導電体２３０は、その磁界Ｈで誘起される渦電流により発熱する。
【００２５】
そのため、本実施形態にかかる暖房便座装置１００は、誘導加熱の原理を利用し、便座２００の着座面を急速に加熱することができ、より早く着座面を適温にすることができる。また、本実施形態にかかる暖房便座装置１００は、便座２００の着座面を急速に加熱することができるため、使用者が便座２００を使用していないときには便座２００を保温しておく必要はない。そのため、例えば「シーズヒータ」や、「ハロゲンヒータ」や、「カーボンヒータ」などの抵抗加熱手段により便座２００の着座面を加熱する場合よりも省エネルギー化を図ることができる。
【００２６】
ケーシング４００の内部には、衛生洗浄装置としての機能部が併設されていてもよい。すなわち、ケーシング４００には、便座２００に座った使用者の「おしり」などに向けて水を噴出する図示しない吐水ノズルを有する衛生洗浄機能部などが内蔵されていてもよい。なお、本願明細書において「水」という場合には、冷水のみならず、加熱されたお湯も含むものとする。
【００２７】
また、ケーシング４００の内部には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。ただし、本発明においては、衛生洗浄機能部やその他の付加機能部は必ずしも設けなくてもよい。
【００２８】
図３は、本実施形態の便座を上方から眺めた平面模式図である。  
図２に関して前述したように、制御部４１０が誘導加熱コイル２２０へ高周波電流Ｉを通電させると、誘導加熱コイル２２０は、磁界Ｈを発生する。このとき、磁界Ｈの向きは、図２および図３に表したように、磁界Ｈが発生している位置に存在する誘導加熱コイル２２０からみて略垂直である。そのため、誘導加熱コイル２２０の曲率が大きくなるほど、磁界Ｈはより集中する。すなわち、誘導加熱コイル２２０の曲率が大きくなるほど、磁界Ｈの磁束密度は大きくなる。このように、本実施形態では、誘導加熱コイル２２０は、便座２００の一部の部位における曲率が便座２００の他の部位における曲率よりも大きくなるように配設されている。図３に表した部位Ａ１、Ａ２、Ａ３における誘導加熱コイル２２０の曲率は、Ａ１＞Ａ２＞Ａ３の関係である。
【００２９】
これによれば、図３に表した部位Ａ２における磁束密度は、図３に表した部位Ａ３における磁束密度よりも大きい。また、図３に表した部位Ａ１における磁束密度は、図３に表した部位Ａ２における磁束密度よりも大きい。その結果、図３に表した部位Ａ２における便座２００の温度は、図３に表した部位Ａ３における便座２００の温度よりも高くなる。また、図３に表した部位Ａ１における便座２００の温度は、図３に表した部位Ａ２における便座２００の温度よりも高くなる。
【００３０】
そこで、本実施形態では、温度検知部２５０は、誘導加熱コイル２２０の曲率が他の部位の曲率よりも大きい部位Ａ１に配設されている。つまり、本実施形態の温度検知部２５０は、誘導加熱コイル２２０の曲率が最大の部位Ａ１に配設されている。そのため、本実施形態の温度検知部２５０は、誘導加熱コイル２２０の曲率が最大の部位Ａ１の近傍の導電体２３０の温度を検知することができる。
【００３１】
これによれば、制御部４１０は、温度検知部２５０の検知温度に基づいて便座２００の温度を早く的確に検知することができる。そして、制御部４１０は、導電体２３０が異常高温になって着座面が快適温度を超えた状態を早く検知することができる。そのため、制御部４１０は、着座面が快適温度を超えると、誘導加熱コイル２２０への通電を素早く制御し、便座２００が過度に昇温することを防止することができる。より具体的には、制御部４１０は、温度検知部２５０の検知温度が所定の温度に到達すると、誘導加熱コイル２２０への通電を強制的に停止させる制御を実行する。これにより、便座２００の温度が異常高温に到達することを未然に防止することができる。
【００３２】
次に、本実施形態の誘導加熱コイル２２０および温度検知部２５０の設置形態の具体例について、図面を参照しつつ説明する。  
図４は、本実施形態の誘導加熱コイルおよび温度検知部の設置形態の具体例を例示する平面模式図である。  
また、図５は、図４に表した切断面Ａ−Ａにおける断面模式図である。
【００３３】
本具体例の便座２００の内周面２０３の一部は、内周面２０３の他の部分よりも大きい曲率の曲面２０３ａを有する。また、誘導加熱コイル２２０は、図３に関して前述したように、便座２００の一部の部位における曲率が便座２００の他の部位における曲率よりも大きくなるように配設されている。そして、本具体例では、便座２００の内周面２０３における曲率が最大の曲面２０３ａと、誘導加熱コイル２２０の曲率が最大の部位Ａ１と、の位置が合うように、便座２００および誘導加熱コイル２２０がそれぞれ配設されている。
【００３４】
これによれば、誘導加熱コイル２２０の曲率が最大の部位Ａ１、すなわち便座２００の内周面２０３における曲率が最大の曲面２０３ａに配設された導電体２３０が、より早く高温に到達する。また、本具体例の温度検知部２５０は、図５に表したように、誘導加熱コイル２２０の曲率が最大の部位Ａ１であって、便座２００の上部に設けられている。そのため、温度検知部２５０は、より早く高温に到達する部位の上面の導電体２３０の温度を早く的確に検知することができる。そして、温度検知部２５０は、着座面が快適温度を超えた状態をより早く検知することができる。
【００３５】
また、本具体例では、便座２００の内周面２０３における曲率が最大の曲面２０３ａは、図４に表したように、便座２００の内周面２０３における前方の端部の中央部に形成されている。つまり、誘導加熱コイル２２０の曲率が最大の部位Ａ１は、便座２００の内周面２０３における前方の端部の中央部に形成されている。
【００３６】
これによれば、便座２００の内周面２０３における前方の端部の中央部は、便座２００に着座した人の大腿が一般的には接触しない領域である。その領域に、誘導加熱コイル２２０の曲率が最大の部位Ａ１が形成されているため、便座２００に着座した人は、便座２００の温度むらを感じにくい。そのため、人は便座２００に座った時に不快と感じにくい。
【００３７】
なお、本具体例の温度検知部２５０は、図５に表したように、導電体２３０の温度を検知するサーミスタ２５１と、サーミスタ２５１を保持し導電体２３０の熱をサーミスタ２５１へ伝える伝熱性グリース２５３と、サーミスタ２５１および伝熱性グリース２５３への水の浸入を防止する防水カバー２５５と、を有する。
【００３８】
サーミスタ２５１の反応速度は、より早いことが好ましい。つまり、サーミスタ２５１の熱容量は、より小さいことが好ましい。そのため、サーミスタ２５１のサイズは、より小型であることが好ましく、サーミスタ２５１の封印ケースの影響は、より小さいことが好ましい。
【００３９】
また、サーミスタ２５１の設置位置は、導電体２３０により近いことが好ましい。より具体的には、サーミスタ２５１は、導電体２３０に接触していることが好ましい。あるいは、サーミスタ２５１が導電体２３０に接触していなくとも、伝熱性グリース２５３の熱伝導率がより大きいことが好ましい。
【００４０】
また、サーミスタ２５１は、防水構造を有することが好ましい。あるいは、サーミスタ２５１は、使用者が着座したときに発生する応力により破損しないことが必要である。あるいは、サーミスタ２５１は、使用者が着座したときに発生する応力により筐体２１０から剥がれ落ちないことが必要である。
【００４１】
なお、温度検知部２５０としては、サーミスタ２５１に代えて温度ヒューズやバイメタルを用いることも可能である。この場合、温度ヒューズやバイメタルが異常温度を検知すると、誘導加熱コイル２２０への通電量を制御する制御部４１０を介さず、誘導加熱コイル２２０への通電を切断可能な別の制御部を介して、誘導加熱コイル２２０への通電を強制的に切断することが可能である。
【００４２】
図６は、本実施形態の誘導加熱コイルおよび温度検知部の設置形態の他の具体例を例示する断面模式図である。  
なお、図６は、図４に表した切断面Ａ−Ａにおける断面模式図に相当する。
【００４３】
本具体例の誘導加熱コイル２２０は、図５に関して前述した具体例と比較すると、便座２００の内周面２０３の近傍にまで延在している。そして、温度検知部２５０は、誘導加熱コイル２２０の曲率が最大の部位Ａ１であって、便座２００の内周部に設けられている。すなわち、温度検知部２５０は、便座２００の内周面２０３における曲率が最大の曲面２０３ａに設けられている。その他の構造は、図４および図５に関して前述した具体例の構造と同様である。
【００４４】
本具体例によれば、温度検知部２５０は、より早く高温に到達する部位の内周面の導電体２３０の温度を早く的確に検知することができる。そして、温度検知部２５０は、着座面が快適温度を超えた状態をさらに早く検知することができる。また、その他の効果についても、図４および図５に関して前述した効果と同様の効果が得られる。
【００４５】
図７は、本実施形態の誘導加熱コイルおよび温度検知部の設置形態のさらに他の具体例を例示する平面模式図である。  
本具体例では、誘導加熱コイル２２０の曲率が最大の部位Ａ４と、便座２００の内周面２０３における曲率が最大の曲面２０３ａと、の位置が合うようには、誘導加熱コイル２２０は配置されていない。本具体例では、誘導加熱コイル２２０の曲率が最大の部位Ａ４は、図７に表したように、便座２００がケーシング４００に対して軸支された部分の近傍に形成されている。
【００４６】
また、本具体例の導電体２３０ａは、図４に関して前述した具体例の導電体２３０と比較すると、便座２００がケーシング４００に対して軸支された部分の近傍にまで延在している。温度検知部２５０は、誘導加熱コイル２２０の曲率が最大の部位Ａ４であって、便座２００の上部に設けられている。その他の構造は、図４および図５に関して前述した具体例の構造と同様である。
【００４７】
本具体例によれば、誘導加熱コイル２２０の曲率が最大の部位Ａ４、すなわち便座２００がケーシング４００に対して軸支された部分の近傍に配設された導電体２３０ａが、より早く高温に到達する。そのため、温度検知部２５０は、より早く高温に到達する部位の上面の導電体２３０の温度を早く的確に検知することができる。そして、温度検知部２５０は、着座面が快適温度を超えた状態をより早く検知することができる。
【００４８】
また、誘導加熱コイル２２０の曲率が最大の部位Ａ４は、便座２００に着座した人のおしりや大腿が一般的には接触しない領域である。その領域に、誘導加熱コイル２２０の曲率が最大の部位Ａ４が形成されているため、便座２００に着座した人は、便座２００の温度むらを感じにくい。そのため、人は便座２００に座った時に不快と感じにくい。
【００４９】
図８は、本実施形態の誘導加熱コイルおよび温度検知部の設置形態のさらに他の具体例を例示する平面模式図である。  
本具体例では、図７に関して前述した具体例と同様に、誘導加熱コイル２２０の曲率が最大の部位Ａ５は、便座２００がケーシング４００に対して軸支された部分の近傍に形成されている。誘導加熱コイル２２０の曲率が最大の部位Ａ５では、図８に表したように、誘導加熱コイル２２０は、１つの誘導加熱コイル２２０の延長線上に形成され、いわゆる「渦巻き状」に形成されている。その他の構造は、図７に関して前述した具体例の構造と同様である。
【００５０】
本具体例によれば、誘導加熱コイル２２０の曲率が最大の部位Ａ５、すなわち誘導加熱コイル２２０が「渦巻き状」に形成された部分に配設された導電体２３０ａが、より早く高温に到達する。そのため、温度検知部２５０は、より早く高温に到達する部位の上面の導電体２３０の温度を早く的確に検知することができる。そして、温度検知部２５０は、着座面が快適温度を超えた状態をより早く検知することができる。
【００５１】
また、誘導加熱コイル２２０の曲率が最大の部位Ａ５は、便座２００がケーシング４００に対して軸支された部分の近傍に形成されているため、図７に関して前述した具体例に効果と同様に、人は便座２００に座った時に不快と感じにくい。
【００５２】
以上説明したように、本実施形態によれば、温度検知部２５０は、誘導加熱コイル２２０の曲率が他の部位の曲率よりも大きい部位Ａ１、Ａ４、Ａ５に配設されている。つまり、本実施形態の温度検知部２５０は、誘導加熱コイル２２０の曲率が最大の部位Ａ１、Ａ４、Ａ５に配設されている。そのため、本実施形態の温度検知部２５０は、誘導加熱コイル２２０の曲率が最大の部位Ａ１、Ａ４、Ａ５の近傍の導電体２３０の温度を検知することができる。
【００５３】
これにより、制御部４１０は、温度検知部２５０の検知温度に基づいて便座２００の温度を早く的確に検知することができる。そして、制御部４１０は、導電体２３０が異常高温になって着座面が快適温度を超えた状態を早く検知することができる。そのため、制御部４１０は、導電体２３０が異常高温になると、誘導加熱コイル２２０への通電を素早く制御し、便座２００が過度に昇温することを防止することができる。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便座２００などが備える各要素の形状、寸法、材質、配置などや誘導加熱コイル２２０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
１００ 暖房便座装置、  ２００ 便座、  ２０１ 上面、  ２０３ 内周面、  ２０３ａ 曲面、  ２１０ 筐体、  ２２０ 誘導加熱コイル、  ２３０ 導電体、  ２３０ａ 導電体、  ２４０ 表面材、  ２５０ 温度検知部、  ２５１ サーミスタ、  ２５３ 伝熱性グリース、  ２５５ 防水カバー、  ３００ 便蓋、  ４００ ケーシング、  ４１０ 制御部、  ８００ 洋式腰掛便器
【図１】
0005541515.tif 000002
【図２】
0005541515.tif 000003
【図３】
0005541515.tif 000004
【図４】
0005541515.tif 000005
【図５】
0005541515.tif 000006
【図６】
0005541515.tif 000007
【図７】
0005541515.tif 000008
【図８】
0005541515.tif 000009